(57)【要約】【課題】認証手段を有しないで、かつ接続された表示装置を表示制御が可能なデジタル放送受信機を実現する。【解決手段】デジタル放送受信機１１は、デジタル放送を受信するためのチューナ３１と、チューナ３１により受信されたデジタル放送のコンテンツの映像を表示する表示装置４０と、アナログ放送受信機１２が接続可能な外部出力端子１１ａと、コンテンツに関する情報あるいはコンテンツの映像に対して所定の処理を施した処理映像信号を、表示装置４０には出力しないで、外部出力端子１１ａに出力してアナログ放送受信機１２に出力するように制御可能な出力制御部３９を有する。【選択図】図３
2009200937.tif 000002
【特許請求の範囲】
【請求項１】
デジタル放送を受信するためのチューナと、
前記チューナにより受信された前記デジタル放送のコンテンツの映像を表示する第１の表示装置と、
第２の表示装置が接続可能な外部出力端子と、
前記コンテンツに関する情報あるいは前記コンテンツの映像に対して所定の処理を施した処理映像信号を、前記第１の表示装置には出力しないで、前記外部出力端子に出力して前記第２の表示装置に出力するように制御可能な出力制御部と、
を有することを特徴とするデジタル放送受信機。
【請求項２】
前記コンテンツに関する情報は、前記デジタル放送の番組情報であることを特徴とする請求項１に記載のデジタル放送受信機。
【請求項３】
前記所定の処理は、受信した前記コンテンツの映像の一部を拡大する拡大表示処理であり、
前記出力制御部は、前記拡大表示処理により拡大された前記一部の映像信号を、前記外部出力端子に出力し、かつ、前記一部の領域を示す拡大表示領域指示部を含む前記コンテンツの映像信号を、前記第１の表示装置に出力することを特徴とする請求項１に記載のデジタル放送受信機。
【請求項４】
複数の静止画像を記憶する静止画記憶部から、前記複数の静止画像のデータを読み出してデコードする静止画処理部を、さらに有し、
前記出力制御部は、デコードされた前記複数の静止画像の複数のサムネイル画像を生成して、前記複数のサムネイル画像の映像信号を前記外部出力端子に出力し、前記複数の静止画像の中の一つの静止画の映像信号を前記第１の表示装置に出力することを特徴とする請求項１に記載のデジタル放送受信機。
【請求項５】
前記コンテンツがコピー制限されているか否かを検出するコピーガード検出部を有することを特徴とする請求項１に記載のデジタル放送受信機。
【発明の詳細な説明】
【技術分野】
【０００１】
本発明は、デジタル放送受信機に関し、特に、表示装置を外部出力端子に接続可能なデジタル放送受信機に関する。
【背景技術】
【０００２】
近年、地上波デジタル放送の開始にともない、デジタル放送受信機が急速に普及している。デジタル放送受信機は従来のアナログ放送用のテレビ受信機に比べ、高精細かつ高品質映像の実現、多チャンネル化、電子番組案内（EPG）等のデータ放送対応、等様々なサービスを受けることが可能であり、ユーザの視点からも、デジタル放送受信機は、メリットが多分にある。
【０００３】
ところが、新たにデジタル放送受信機を購入するユーザとしては、使用中のテレビ受信機（デジタル放送受信機の買い替えも含めて）に実用上の問題があるわけではない。そのため、デジタル放送受信機を新しく購入すると、使用中のテレビ受信機を廃棄しなければならなくなる。あるいは、使用中のテレビ受信機を廃棄することへの抵抗から、ユーザは、新たにデジタル放送受信機の購入を控える傾向もある。
【０００４】
そこで、特開2003-195843号公報には、多数のテレビジョン受像機等の表示装置を接続して使用した場合に、単体で使用するよりも高機能を実現することができる技術が提案されている。その提案によれば、具体的な機能として、表示の一部を拡大し、全体画像を他の表示装置で表示させる仕組みをもつことで、複数の表示装置を使用して元画像を拡大した表示機能（スケーラブルTVシステム）を実現している。
【０００５】
しかしながら、上記提案に係る技術では、親機と子機間での認証手段を必要とするため、この認証手段をもたない表示装置間では、提案されているような機能を実現することはできない。また、スケーラブルTVシステムの表示では、サイズ・色が統一されない、筐体間の表示がされない、という点において、複数の表示装置を用いる効果に課題が残る。
【特許文献１】特開2003-195843号公報
【発明の開示】
【発明が解決しようとする課題】
【０００６】
そこで、本発明は、認証手段を有しないで、かつ接続された表示装置を表示制御が可能なデジタル放送受信機を提供することを目的とする。
【課題を解決するための手段】
【０００７】
本発明の一態様によれば、デジタル放送を受信するためのチューナと、前記チューナにより受信された前記デジタル放送のコンテンツの映像を表示する第１の表示装置と、第２の表示装置が接続可能な外部出力端子と、前記コンテンツに関する情報あるいは前記コンテンツの映像に対して所定の処理を施した処理映像信号を、前記第１の表示装置には出力しないで、前記外部出力端子に出力して前記第２の表示装置に出力するように制御可能な出力制御部と、を有するデジタル放送受信機を提供することができる。
【発明の効果】
【０００８】
本発明によれば、認証手段を有しないで、かつ接続された表示装置を表示制御が可能なデジタル放送受信機を実現することができる。
【発明を実施するための最良の形態】
【０００９】
以下、図面を参照して本発明の実施の形態を説明する。  
（構成） 
図１は、本実施の形態に係わるデジタル放送受信機を含むデジタル放送受信システムの構成を示す構成図である。デジタル放送受信システム１は、２つのテレビジョン受像機からなり、第１のテレビジョン受像機は、本実施の形態に係るデジタル放送受信機１１であり、第２のテレビジョン受像機は、アナログ放送受信機１２である。デジタル放送受信機１１は、後述するように、アナログ放送受信機１２の表示制御機能を有する。  
なお、第２のテレビジョン受像機は、デジタル放送受信機であってもよい。
【００１０】
デジタル放送受信機１１とアナログ放送受信機１２とは、接続ケーブル１３により接続されている。デジタル放送受信機１１は、外部出力端子１１ａを有し、アナログ放送受信機１２は、外部入力端子１２ａを有する。接続ケーブル１３は、D3,D4端子、HDMI端子等のテレビジョン受像機の出力端子に接続可能なケーブルであり、デジタル放送受信機１１の外部出力端子１１ａとアナログ放送受信機１２の外部入力端子１２ａとに接続される。
【００１１】
デジタル放送受信機１１は、デジタル放送信号をアンテナにより受信し、受信信号を処理して、放送されているコンテンツの映像を液晶表示装置等の表示装置に表示し、かつ音声を図示しないスピーカから出力する。  
ユーザは、リモコン１４を利用して、デジタル放送受信機１１に対して種々の操作指示を与えることができる。後述するように、従来のアナログ放送を受信するテレビ受信機１２を接続し、デジタル放送受信機１１に対して所定の操作を行うことによって、ユーザは、デジタル放送を、デジタル放送受信機１１とアナログ放送受信機１２の２台のテレビ受像機を利用して楽しむことができる。  
なお、リモコン１４からの操作指示の信号を受け付けることができるのはデジタル放送受信機１１である。
【００１２】
図２は、リモコン１４の操作面を説明するための平面図である。図２に示すように、リモコン１４の本体２１には、外部出力制御ボタン２２と、決定ボタン２３と、拡大率変更ボタン２４と、カーソルを移動するための移動ボタン２５とを有する。移動ボタン２５は、上下左右方向の４つのボタン２５ａ、２５ｂ、２５ｃ、２５ｄからなる。なお、ここでは、他の機能のためのボタンについては、図示せず、かつ説明は省略する。また、各ボタンの操作方法については、各機能の説明において説明する。
【００１３】
リモコン１４からの操作信号を受け付けることが出来るのは、デジタル放送受信機１１のみであり、リモコン１４は、デジタル放送受信機１１を制御するが、接続されたアナログ放送受信機１２に対する出力内容の制御も間接的に行う。
【００１４】
また、デジタル放送受信機１１は、受信してデコードした映像信号をアナログ放送受信機１２へ出力できるが、著作権保護の観点より、入力されたコンテンツがコピー制限のある場合には、出力画像サイズの制限（SDサイズ限定等）、コピーガード信号（マクロビジョン、CGMS-A等）の付加を行わなければならない。このため、後述するように、デジタル放送受信機１１は、入力されたコンテンツのコピー制限の有無の判別機能を有する。
【００１５】
図３は、本実施の形態に係るデジタル放送受信機１１の構成を示すブロック図である。  
デジタル放送受信機１１は、チューナ部３１と、デマルチプレクサ部（DEMUX）３２と、動画デコード部３３と、データ受信部３４と、静止画デコード部３５と、入力制御部３６と、画像切り出し部３７と、拡大表示生成部３８と、出力制御部３９と、映像出力部としての表示装置４０と、アナログ放送受信機１２が接続可能な外部出力端子１１ａとを含んで構成されている。出力制御部３９は、制御部５１と、メモリ５２とを含む。デジタル放送受信機１１は、これらの処理部全てを含む、いわゆるテレビジョン受像機である。
【００１６】
チューナ部３１は、図示しないアンテナからのデジタル放送信号を受信する回路である。  
デマルチプレクサ部３２は、チューナ部３１からの受信信号を分離し、映像、音声、及びデータの各信号に分離する回路である。映像信号のうち動画信号は、動画デコード部３３に入力され、映像信号のうち静止画信号は、静止画デコード部３５に入力される。受信信号のうち電子番組案内（以下、EPGと略す）などのデータは、データ受信部３４に入力される。音声信号は、図示しない音声処理回路に入力される。
【００１７】
動画デコード部３３は、入力された動画信号をデコードし、複数のフレーム画像を生成する回路である。また、動画デコード部３３は、コピーガード検出部３３ａを含む。コピーガード検出部３３ａは、映像信号中にコピーガード信号があるか否かを検出する処理回路である。コピーガード検出部３３ａは、映像信号中にコピーガード信号がある場合は、画像切り出し部３７に対して後述するような切り出し範囲の制限を与えたり、出力される映像信号にコピーガード信号のデータを付加して、外部出力端子１１ａから出力させるように、制御部５１にコピーガード信号を供給する。
【００１８】
データ受信部３４は、受信したデータ信号に対して所定の処理を施す回路である。例えば、データ受信部３４は、CPU等を含み、受信したEPGのデータを処理して、後述するような番組表の映像信号のデータを生成する。
【００１９】
静止画デコード部３５は、静止画デコード部３５は、静止画データベース（静止画DB）４２にも接続され、デマルチプレクサ部３２からの静止画の映像信号と、静止画データベース４２から読み出した映像信号のデコードを行う回路である。静止画DB４２は、デジタルカメラ等により撮像された複数の静止画データ、あるいはデジタル放送で受信した複数の静止画データを記憶する記憶部である。
【００２０】
入力制御部３６は、リモコン１４あるいはデジタル放送受信機１１の本体パネルの操作スイッチ等からの操作信号を処理して、チューナ部３１等の各処理部に処理指示信号を供給する回路である。なお、図３では、入力制御部３６からの処理指示信号は、本実施の形態に関係のある、画像切り出し部３７と出力制御部３９に供給されているように示されているが、他の処理部にも供給されている。
【００２１】
動画デコード部３３においてデコードされた動画の映像信号は、画像切り出し部３７に出力される。画像切り出し部３７は、入力制御部３６からの処理指示信号に基づいて、画像の切り出し処理を行う回路である。後述するように、ユーザは、リモコン１４を操作して、画像の切り出しを行う領域を指定し、かつ変更することができる。また、指定された領域の映像信号のデータは、図示しない記憶装置に保存させるようにしてもよい。
【００２２】
拡大表示生成部３８は、画像切り出し部３７において切り出された画像の一部の画像を拡大表示するための回路であり、その一部について拡大表示処理を行って、拡大表示処理された一部の画像の画像信号を生成する。  
出力制御部３９は、後述するように各プレーンの画像を重ね合わせる処理を行う回路である。  
制御部５１は、入力制御部３６からの処理指示信号を入力し、メモリ５２へのデータの書き込みを制御する処理部である。制御部５１は、例えば、リモコン１４からの操作指示に応じて、メモリ５２の各記憶領域に記憶する映像信号のデータを決定する機能を有する。さらに、制御部５１は、映像信号に対して、データ量を少なくする等の画像処理を行う機能、後述するような拡大表示領域指示部の画像の作成、サムネイル画像の生成、等の機能も有する。
【００２３】
メモリ５２には、表示装置４０と外部出力端子１１ａに出力される複数の映像信号のデータが記憶され、制御部５１は、入力制御部３６からの指示信号に応じてメモリ５２へのデータの書き込みを制御して、デジタル放送受信機１１に表示すべき映像信号を、表示装置４０に出力し、アナログ放送受信機１２に表示すべき映像信号を、外部出力端子１１ａに出力する。
【００２４】
ここで、メモリ５２の構成について説明する。図４は、表示される映像と記憶領域との関係を説明するための図である。
【００２５】
まず、デジタル放送受信機１１は、表示装置４０に表示する映像と、アナログ放送受信機１２に表示する映像を、内部で、複数のプレーンに分けて管理している。
【００２６】
出力制御部３９のメモリ５２は、デジタル放送受信機１１の表示装置４０への映像信号を出力するための映像信号のデータを記憶する複数の記憶領域、ここでは３つの記憶領域、PD11,PD12,PD13と、外部出力端子１１ａへの映像信号を出力するための映像信号のデータを記憶する複数の記憶領域、ここでは３つの記憶領域、PD21,PD22,PD23とを含む。
【００２７】
すなわち、メモリ５２中、記憶領域PD11,PD12,PD13は、表示装置４０に表示する映像信号のデータが書き込まれ、記憶領域PD21,PD22,PD23は、アナログ放送受信機１２に表示する映像信号のデータが書き込まれる。
【００２８】
出力制御部３９の制御部５１は、後述するように、コンテンツの映像、拡大表示映像等を表示装置４０に表示するときは記憶領域PD11,PD12,PD13にデータを書き込み、番組表の映像、拡大表示映像、制御画面等をアナログ放送受信機１２に表示するときは記憶領域PD21,PD22,PD23にデータを書き込むように、映像データの書き込み制御を行う。
【００２９】
表示装置４０に表示される映像は、複数の、ここでは３つのプレーンP11,P12,P13から構成され、同様に、アナログ放送受信機１２に表示される映像も、複数の、ここでは３つのプレーンP21,P22,P23から構成される。
【００３０】
そして、第１の記憶領域としての記憶領域PD11,PD12,PD13は、それら３つのプレーンP11,P12,P13に対応しており、第２の記憶領域としての記憶領域PD21,PD22,PD23は、それら３つのプレーンP21,P22,P23に対応している。
【００３１】
出力制御部３９の制御部５１は、コンテンツの映像信号のデータ、コンテンツに関する情報、及び拡大表示処理等された処理映像信号のデータの、各記憶領域への書き込みを制御することによって、コンテンツに関する情報あるいは処理映像信号の表示装置４０と外部出力端子１１ａへの出力内容の変更、あるいは切り換えを行う。
【００３２】
本実施の形態では、プレーンP11,P21は、メニュー等の映像を表示するためのプレーンである。表示装置４０あるいはアナログ放送受信機１２にメニュー等を表示するときには、対応する記憶領域PD11,PD21にはメニュー等の映像信号のデータが記憶される。プレーンP12,P22は、番組表あるいは拡大画像の映像を表示するためのプレーンである。表示装置４０あるいはアナログ放送受信機１２に番組表等を表示するときには、対応する記憶領域PD12,PD22には番組表等の映像信号のデータが記憶される。プレーンP13,P23は、コンテンツの映像を表示するためのプレーンである。表示装置４０あるいはアナログ放送受信機１２にコンテンツ映像を表示するときには、対応する記憶領域PD13,PD23にはコンテンツの映像信号のデータが記憶される。
【００３３】
表示装置４０に表示される画面は、３つのプレーンP11,P12,P13を重ね合わせることにより生成される。３つのプレーンには、それぞれ優先度が設定されており、優先度は、プレーンP11が最も高く、P12、P13の順に低くなるように設定されている。各記憶領域に記憶された映像信号のデータが、対応するプレーンの映像を生成し、各プレーンは、各画素のデータの有無と優先度に従って重ね合わされる。表示装置４０の表示画面には、その重ね合わされた映像が表示されるように、出力制御部３９は、重ね合わされた映像の映像信号を表示装置４０に出力する。
【００３４】
同様に、外部出力端子１１ａに接続された表示装置としての、アナログ放送受信機１２に表示される画面も、３つのプレーンP21,P22,P23を重ね合わせることにより生成される。３つのプレーンには、それぞれ優先度が設定されており、優先度は、プレーンP21が最も高く、P22、P23の順に低くなるように設定されている。
【００３５】
各記憶領域に記憶された映像信号のデータが、対応するプレーンの映像を生成し、各プレーンは、各画素のデータの有無と優先度に従って重ね合わされる。アナログ放送受信機１２の表示画面には、その重ね合わされた映像が表示されるように、出力制御部３９は、重ね合わされた映像の映像信号を外部出力端子１１ａに出力する。
【００３６】
従って、出力制御部３９は、各記憶領域への映像信号の書き込みを制御することによって、表示装置４０と外部出力端子１１ａへ供給される映像信号が制御される。言い換えると、出力制御部３９は、各記憶領域への映像信号の書き込みを制御することによって、表示装置４０に表示される映像と、アナログ放送受信機１２に表示される映像を制御する。よって、後述するように、例えば、番組表、拡大画像等の映像信号は、表示装置４０に出力しないで、アナログ放送受信機１２に表示するように、出力制御部３９は、制御することができる。
【００３７】
（動作）
次に、上述したデジタル放送受信システム１の動作について説明する。  
ユーザは、デジタル放送受信機１１の外部出力端子１１ａにアナログ放送受信機１２の外部入力端子１２ａとを接続ケーブル１３により接続する。そして、デジタル放送受信機１１用のリモコン１４の外部出力制御ボタン２２を押下すると、図５に示す画面が、デジタル放送受信機１１の表示装置である表示装置４０の画面上に表示される。
【００３８】
なお、デジタル放送受信機１１とアナログ放送受信機１２とがHDMI端子等を有し、デジタル放送受信機１１にアナログ放送受信機１２が接続されたことを検出すると、デジタル放送受信機１１が、自動的に図５の画面を表示するようにしてもよい。
【００３９】
さらになお、リモコン１４の外部出力制御ボタン２２を押下されたときに、アナログ放送受信機１２が接続されていなかったり、外れていたり、あるいはアナログ放送受信機１２の電源が入っていなかったときは、所定の警告を表示するようにしてもよい。
【００４０】
図５は、外部出力制御用メニュー画面の例を示す図である。図５の画面は、デジタル放送受信機１１の表示画面６０上に、ウインドウ形式で、各種表示制御機能のメニューがリスト形式で表示される。
【００４１】
ウインドウ枠６１の中には、各種表示制御機能に対応して、「通常表示」、「拡大表示」、「拡大制御表示」、「番組情報表示」、「静止画リスト表示」、「データ放送表示」、「緊急放送表示」、及び「制御画面表示」の８つの選択項目６１ａから６１ｈが表示される。
【００４２】
ユーザは、リモコン１４の移動ボタン２５の上下方向の移動ボタン２５ａ、２５ｂを操作して、選択されている項目を示すカーソルを、所望の機能の選択項目に移動させて、決定ボタン２３を押下することによって、所望の表示制御機能を選択することができる。
【００４３】
図６と図７は、デジタル放送受信機１１とアナログ放送受信機１２に表示する映像を決定する処理の流れの例を示すフローチャートである。以下、図６と図７を用いて、デジタル放送受信機１１の制御部５１の処理について説明する。
【００４４】
なお、デジタル放送受信機１１で受信しているコンテンツの映像信号にコピーガード信号が含まれており、アナログ放送受信機１２には映像信号をそのまま出力できない場合について、説明する。
【００４５】
ユーザによって、８つの選択項目の中から一つの項目が選択されると、制御部５１は、その選択された項目に対応する所定の処理を行って、表示装置４０に供給する映像信号と、外部出力端子１１ａに接続されたアナログ放送受信機１２に供給する映像信号の各データを各記憶領域に書き込む。
【００４６】
（通常表示）
図６に示すように、制御部５１は、「通常表示」６１ａが選択されたか否かを判定する（ステップS1）。「通常表示」が選択されると、制御部５１は、メモリ５２の記憶領域PD13のコンテンツの映像信号のデータに対して画像を劣化させるための画像処理（例えば間引き処理）を行って、画像劣化処理された映像信号のデータを、記憶領域PD23に書き込む（ステップS2）。記憶領域PD11,PD12,PD21,PD22には、何のデータも書き込まれない。
【００４７】
すなわち、制御部５１は、「通常表示」が選択されると、受信したコンテンツ映像がコピー制限されているので、所定の処理として、間引き処理等のコンテンツ映像の情報量を低下させる処理を実行して、その処理された映像信号のデータを記録領域PD23に書き込む。
【００４８】
なお、コピーガード信号がコピーの回数制限の信号であれば、間引き処理等の画像劣化処理は行わずに、外部出力端子１１ａに出力する映像信号にそのコピーガード信号を付加して出力する。
【００４９】
その結果、間引き処理等された映像信号は表示装置４０には出力されないので、デジタル放送受信機１１の表示装置４０の表示画面上には、コンテンツの高精細な映像が表示され、かつ、アナログ放送受信機１１の表示画面上には、デジタル放送受信機１１の表示装置４０の表示画面に表示された映像と同じ内容の映像が、コンテンツデータの保護も考慮されて表示される。
【００５０】
よって、アナログ放送受信機１２においてもデジタル放送受信機１１と同じ映像のコンテンツを表示させるようにすることができるので、ユーザは、２台の機器を利用した種々の視聴形態を楽しむことができる。
【００５１】
（拡大表示）
次に、制御部５１は、「拡大表示」６１ｂが選択されたか否かを判定する（ステップS3）。「拡大表示」が選択されると、制御部５１は、デコードされたコンテンツの映像信号のデータに対して所定の処理を施して、図８に示すような拡大表示領域指示部を含む画面の映像信号のデータを生成して、その生成した映像信号のデータを、記憶領域PD13に書き込み、さらに、拡大表示生成部３８において生成された、コンテンツの映像の一部の映像信号のデータを、記憶領域PD23に書き込む（ステップS4）。
【００５２】
図８は、拡大表示のために、デジタル放送受信機１１の表示画面に表示される、拡大表示領域指示部を含む画面の表示例を示す図である。  
制御部５１は、図８に示すような画面の映像信号を生成するが、図８の拡大表示領域指示部６２は、コンテンツの映像中の拡大される一部の位置と範囲を示し、コンテンツ映像の全体画面の大きさよりも小さい、所定の大きさを有し、他の部分と区別が付くように画像処理された表示部である。
【００５３】
なお、拡大表示領域指示部６２の大きさは、リモコン１４の拡大率変更ボタン２４の上下方向の部分（あるいは左右方向の部分でもよい）の操作に応じて変更可能であり、拡大表示領域指示部６２の位置も、移動ボタン２５の操作に応じて移動可能である。拡大表示領域指示部６２の大きさと位置は、画像切り出し部３７の画像切り出し範囲と対応している。
【００５４】
さらになお、拡大表示領域指示部６２の大きさは、コピー制限上の理由から、所定の大きさ以上には大きくならないように、上限が設けられている。例えば、切り出し可能な範囲の面積の最大値は、元画像の大きさの４分の１である。  
また、「拡大表示」６１ｂが選択されたときに、最初に表示される拡大表示領域指示部６２の大きさと位置の情報は、図示しない記憶部に、初期値として予め設定され、画像切り出し部３７に供給される。
【００５５】
記憶領域PD13には、拡大表示領域指示部６２を含む画面の映像信号のデータが書き込まれるので、デジタル放送受信機１１の表示画面６０上には、図８に示す映像が表示される。
【００５６】
さらに、制御部５１は、拡大表示生成部３８において生成された映像信号のデータを、記憶領域PD23に書き込む。
【００５７】
その結果、記憶領域PD23には、拡大表示領域指示部６２により示された領域部分の映像信号のデータが書き込まれ、そのデータは外部出力端子１１ａから出力されるので、アナログ放送受信機１２の表示装置の表示画面７０上には、図９に示す映像の画像が表示される。図９は、拡大表示選択時における、アナログ放送受信機１２の表示画面に表示される画面の表示例を示す図である。
【００５８】
その結果、拡大表示処理された映像信号は表示装置４０には出力されないので、デジタル放送受信機１１の表示装置４０の表示画面６０上には、高精細な映像が表示され、かつ拡大表示領域指示部６２も表示される。そして、アナログ放送受信機１１の表示画面上には、デジタル放送受信機１１の表示装置４０の表示画面に表示された拡大表示領域指示部６２の部分の映像が、表示される。
【００５９】
よって、アナログ放送受信機１２には、デジタル放送受信機１１に表示されている映像中の拡大表示する部分として指定された部分を拡大して表示させるようにすることができるので、ユーザは、元の映像中の位置を確認しながら、拡大表示領域指示部６２で指示されている部分を拡大して見ることができる。
【００６０】
（拡大制御表示）
次に、図６に示すように、制御部５１は、「拡大制御表示」６１ｃが選択されたか否かを判定する（ステップS5）。「拡大制御表示」が選択されると、制御部５１は、デコードされたコンテンツの映像の一部を拡大した映像のデータを記憶領域PD13に書き込み、さらに、拡大表示領域指示部を含む画像を生成して記憶領域PD23に書き込む（ステップS6）。
【００６１】
その結果、デジタル放送受信機１１の表示装置４０の画面６０上には、図１０に示すような映像が表示される。図１０は、拡大制御表示時における、デジタル放送受信機１１の表示画面に表示される画面の表示例を示す図である。  
図１０に示す映像信号のデータは、拡大表示生成部３８において生成される。
【００６２】
さらに、アナログ放送受信機１２の表示装置の画面７０上には、図１１に示すような映像が表示される。図１１は、拡大制御表示時における、アナログ放送受信機１２の表示画面に表示される画面の表示例を示す図である。
【００６３】
制御部５１は、図１１に示すような画面の映像信号を生成するが、図１１の拡大表示領域指示部７１は、コンテンツの映像の中の拡大される一部の位置と範囲を示し、コンテンツ映像の全体画面の大きさよりも小さい、所定の大きさを有し、他の部分と区別が付くように、他の部分が画像処理された表示となっている。
【００６４】
なお、拡大表示領域指示部７１の大きさは、リモコン１４の拡大率変更ボタン２４の上下方向の部分の操作に応じて変化し、拡大表示領域指示部７１の位置は、移動ボタン２５の操作に応じて移動する。拡大表示領域指示部７１の大きさと位置は、画像切り出し部３７の画像切り出し範囲と対応している。
【００６５】
さらになお、アナログ放送受信機１２の画面に表示される拡大表示領域指示部７１の大きさは、コピー制限上の理由から、所定の大きさ以上には大きくならないように、上限を設けるということはない。  
また、「拡大制御表示」６１ｃが選択されたときに、最初に表示される拡大表示領域指示部７１の大きさと位置は、図示しない記憶部に、初期値として予め設定され、画像切り出し部３７に供給される。
【００６６】
記憶領域PD23には、拡大表示領域指示部７１を含む画面の映像信号のデータが書き込まれ、そのデータは外部出力端子１１ａから出力されるので、アナログ放送受信機１２の表示画面７０上には、図１１に示す映像が表示される。
【００６７】
さらに、制御部５１は、拡大表示生成部３８において生成された映像信号のデータを、記憶領域PD13に書き込む。
【００６８】
その結果、拡大表示領域指示部７１を含む映像信号は表示装置４０には出力されないので、デジタル放送受信機１１の表示装置４０の表示画面６０上には、高精細な拡大された映像が表示され、その拡大された映像は、アナログ放送受信機１１の表示装置の表示画面に表示された拡大表示領域指示部７１の部分の映像である。そして、アナログ放送受信機１１の表示画面上には、デジタル放送受信機１１の表示装置４０の表示画面に表示された拡大表示領域指示部７１の部分の位置を示す拡大表示領域指示部７１を含む映像が表示される。
【００６９】
よって、デジタル放送受信機１１には、アナログ放送受信機１２に表示されている映像中の拡大表示する部分として指定された部分を拡大して表示させるようにすることができるので、ユーザは、元の映像中の位置を確認しながら、拡大表示領域指示部７１で指示されている部分を拡大して見ることができる。
【００７０】
（番組情報表示）
次に、図６に示すように、制御部５１は、「番組情報表示」６１ｄが選択されたか否かを判定する（ステップS7）。「番組情報表示」が選択されると、制御部５１は、デコードされたコンテンツの映像信号のデータを記憶領域PD13に書き込み、さらに、データ受信部３４で生成された番組表の画像の映像信号を記憶領域PD22に書き込む（ステップS8）。その結果、デジタル放送受信機１１の表示装置４０の画面６０上には、図１２に示すような映像が表示される。図１２は、番組情報表示時における、デジタル放送受信機１１の表示画面に表示される画面の表示例を示す図である。  
さらに、アナログ放送受信機１２の表示装置の画面７０上には、図１３に示すような番組表の映像が表示される。図１３は、番組情報表示時における、アナログ放送受信機１２の表示画面に表示される画面の表示例を示す図である。
【００７１】
図１２に示す映像は、動画デコード部３３において生成された映像信号のデータに基づいて生成される。
【００７２】
また、制御部５１は、データ受信部３４から、図１３に示すような番組表の画面の映像信号を外部出力端子１１ａに出力する。データ受信部３４は、EPGの情報から、電子番組表を作成する番組表作成部を含む。  
番組表から所望の番組を選択して視聴等する操作は、デジタル放送受信機１１に従来より備わっている機能に基づいて行われる。
【００７３】
その結果、作成された番組表の映像信号は表示装置４０には出力されないので、デジタル放送受信機１１の表示装置４０の表示画面６０上には、高精細な拡大された映像が表示され、番組表は、アナログ放送受信機１１の表示装置の表示画面に表示される。
【００７４】
従来の１台のデジタル放送受信機だけの場合、番組表を表示させると、視聴している番組の映像の上に、番組表の画面が重ねて現れるため、ユーザは、視聴している映像全体を見ることができなくなってしまっていた。
【００７５】
しかし、本実施の形態によれば、番組表は、アナログ放送受信機１２に表示されているので、視聴している番組の映像が番組表によって遮られることがない。
【００７６】
例えば、アナログ放送受信機１２の画面上に番組表が表示されている状態で、移動ボタン２５を操作することによって、デジタル放送受信機１１に表示される番組を見ながら変更することも可能となる。
【００７７】
（静止画リスト表示）
次に、図６に示すように、制御部５１は、「静止画リスト表示」６１ｅが選択されたか否かを判定する（ステップS9）。「静止画リスト表示」が選択されると、制御部５１は、静止画デコード部３５においてデコードされた一つの静止画の映像信号のデータを記憶領域PD13に書き込み、さらに、静止画デコード部３５で生成された静止画リストの画像の映像信号を記憶領域PD23に書き込む（ステップS10）。記憶領域PD13に書き込まれたデータの一つの静止画は、静止画リストにおいて選択された静止画である。
【００７８】
その選択された一つの静止画の映像信号のデータが、記憶領域PD13に書き込まれるので、デジタル放送受信機１１の表示装置４０の画面６０上には、図１４に示すような映像が表示される。図１４は、静止画リスト表示時における、デジタル放送受信機１１の表示画面に表示される画面の表示例を示す図である。  
さらに、静止画リストの画像の映像信号のデータが、記憶領域PD23に書き込まれ、そのデータは外部出力端子１１ａから出力されるので、アナログ放送受信機１２の表示装置の画面７０上には、図１５に示すような静止画リストの映像が表示される。ここでは、静止画リストは、具体的には、静止画データベース４２に蓄積された静止画のデータをサムネイル画像群である。図１５は、静止画リスト表示時における、アナログ放送受信機１２の表示画面に表示される画面の表示例を示す図である。
【００７９】
図１５において、選択状態にある静止画７３は、他の静止画と区別されるように、画像が加工される、あるいはカーソルの位置を示す枠が付与される、等の処理が制御部５１によってなされて、表示される。
【００８０】
アナログ放送受信機１２の画面上に静止画リストの画像が表示されている状態で、移動ボタン２５を操作することによって、選択画像が変更可能である。すなわち、アナログ放送受信機１２の表示画面は静止画リストを表示したままで、移動ボタン２５を操作することにより、デジタル放送受信機１１に表示させる静止画の変更を行うことができる。
【００８１】
その結果、静止画リストの映像信号は表示装置４０には出力されないので、デジタル放送受信機１１の表示装置４０の表示画面６０上には、高精細な静止画が表示され、静止画リストは、アナログ放送受信機１１の表示装置の表示画面に表示される。
【００８２】
従来の１台のデジタル放送受信機だけの場合、静止画リストを表示させると、選択されて表示されている静止画の上に、静止画リストの画面が重ねて現れるため、ユーザは、それまで見ていた静止画を見ることができなくなってしまっていた。
【００８３】
しかし、本実施の形態によれば、静止画リストは、アナログ放送受信機１２に表示されているので、見ている静止画の映像が静止画リストによって遮られることがない。
【００８４】
（データ放送表示）
次に、図７に示すように、制御部５１は、「データ放送表示」６１ｆが選択されたか否かを判定する（ステップS11）。「データ放送表示」が選択されると、制御部５１は、デコードされたコンテンツの映像信号のデータを記憶領域PD13に書き込み、さらに、データ受信部３４で生成されたデータ放送を表示するための画像の映像信号を記憶領域PD22に書き込む（ステップS12）。
【００８５】
その結果、データ放送の映像信号は表示装置４０には出力されないので、デジタル放送受信機１１の表示装置４０の画面６０上には、図１２に示すような映像が表示される。すなわち、デジタル放送受信機１１は、放送されているコンテンツの映像を表示装置４０に表示しながら、アナログ放送受信機１２は、図示しないデータ放送表示を行う。  
本実施の形態によれば、デジタル放送受信機１１の表示装置４０の表示画面６０上には、高精細な映像が表示され、データ放送の画面は、アナログ放送受信機１２の表示装置に表示されているので、視聴している番組の映像がデータ放送によって遮られることがない。
【００８６】
（緊急放送表示）
次に、制御部５１は、「緊急放送表示」６１ｇが選択されたか否かを判定する（ステップS13）。「緊急放送表示」が選択されると、制御部５１は、デコードされたコンテンツの映像信号のデータを記憶領域PD13に書き込み、さらに、データ受信部３４で生成された緊急放送を表示するための画像の映像信号を記憶領域PD22に書き込む（ステップS14）。
【００８７】
その結果、緊急放送の映像信号は表示装置４０には出力されないので、デジタル放送受信機１１の表示装置４０の画面６０上には、図１２に示すような映像が表示され、アナログ放送受信機１２の表示装置の画面７０上には、図示しない緊急放送の映像が表示される。すなわち、デジタル放送受信機１１は、放送されているコンテンツの映像を表示装置４０に表示しながら、アナログ放送受信機１２は、緊急放送表示を行う。
【００８８】
本実施の形態によれば、デジタル放送受信機１１の表示装置４０の表示画面６０上には、高精細なコンテンツ映像が表示され、緊急放送の映像は、アナログ放送受信機１２の表示画面に表示されるので、視聴している番組の映像が緊急放送によって遮られることがない。
【００８９】
（制御画面表示）
次に、制御部５１は、「制御画面表示」６１ｈが選択されたか否かを判定する（ステップS15）。「制御画面表示」が選択されると、制御部５１は、デコードされたコンテンツの映像信号のデータを記憶領域PD13に書き込む。さらに、制御部５１は、デジタル放送受信機１１に設けられている各種表示画面のパラメータの設定及び変更を行う制御画面を、静止画デコード部３５に生成させ、生成された制御画面の映像信号のデータを記憶領域PD22に書き込む（ステップS16）。よって、制御部５１と静止画デコード部３５は、制御画面を生成する制御画面生成部を構成する。
【００９０】
制御画面は、デジタル放送受信機１１の表示装置４０の、画面のコントラスト、明るさ等の表示パラメータを設定あるいは変更するための画面である。制御画面には、所定の制御項目についてのパラメータ設定用の画面の映像が含まれる。
【００９１】
デコードされたコンテンツの映像信号のデータを記憶領域PD13に書き込まれるので、デジタル放送受信機１１の表示装置４０の画面６０上には、図１２に示すようなデジタル放送のコンテンツの映像が表示される。
【００９２】
一方、制御画面の画像の映像信号のデータが、記憶領域PD22に書き込まれ、そのデータは外部出力端子１１ａから出力されるので、アナログ放送受信機１２の表示装置の画面７０上には、図１６に示すような制御画面の映像が表示される。図１６は、制御画面表示時における、アナログ放送受信機１２の表示画面に表示される制御画面の表示例を示す図である。
【００９３】
図１６において、選択状態にある制御項目が他の項目とは区別されるように、カーソルの位置を示す枠が付与する処理がされて、制御画面は表示される。
【００９４】
アナログ放送受信機１２の画面上に制御画面の画像が表示されている状態で、ユーザは、リモコン１４の移動ボタン２５を操作することによって、項目を選択し、拡大率変更ボタン２４を操作して、各項目の制御出力レベルを変更して、決定ボタン２３を押下することによって、制御項目を決定して、各項目の値を各調整回路に設定することができる。
【００９５】
各項目の制御出力レベルを変更中は、デジタル放送受信機１１の表示装置４０の表示画面の画像は、その変更された値に応じて変化し、さらに、決定ボタン２３により各項目の値が確定されると、その後は、その確定された値に応じた映像が、デジタル放送受信機１１の表示装置４０に表示される。よって、制御部５１は、制御画面を介して設定された表示用パラメータに基づいて、表示装置４０に出力される映像信号に対して信号処理を施して、表示装置４０の画面の明るさ、コントラスト、色の濃さ、シャープネス等の調整を行う表示調整部を含む。
【００９６】
その結果、制御画面の映像信号は表示装置４０には出力されないので、デジタル放送受信機１１の表示装置４０の表示画面６０上には、高精細な静止画が表示され、制御画面は、アナログ放送受信機１１の表示装置の表示画面に表示される。
【００９７】
従来の１台のデジタル放送受信機だけの場合、制御画面を表示させると、放送中のコンテンツの映像の上に、制御画面が重ねて現れるため、ユーザは、見ているコンテンツ全体を見ることができなくなってしまっていた。
【００９８】
しかし、本実施の形態によれば、制御画面は、アナログ放送受信機１２に表示されているので、見ているコンテンツの映像が制御画面によって遮られることがない。よって、ユーザは、デジタル放送受信機１１に表示されている映像を見ながら、アナログ放送受信機１２に表示されている制御画面を用いて、表示パラメータの設定あるいは変更をすることができる。
【００９９】
以上のように、上述した本実施の形態によれば、認証手段を有しないで、かつ接続された表示装置を表示制御が可能なデジタル放送受信機を実現することができる。
【０１００】
特に、上述した表示装置制御機能を有するデジタル放送受信機と、他の表示装置を接続することにより、単体のデジタル放送受信機では成しえない機能、具体的には、デジタル放送受信機が自己の表示装置には映像あるいは静止画の表示を全画面で行いつつ、他の表示装置に対して別の表示を行うように制御する機能、を実現することができる。
【０１０１】
なお、上述したように、デジタル放送受信機の外部出力端子に接続される表示装置は、従来のアナログ放送受信機、あるいはデジタル放送受信機でもよいし、さらにあるいはデジタル放送受信機１１の外部出力端子に対応した外部入力端子を持つ表示装置であってもよい。
【０１０２】
また、デジタル放送受信機と他の表示装置との接続は、上述したようなケーブル１３による有線でもよいし、無線でもよい。
【０１０３】
さらになお、以上の説明では、デジタル放送受信機１１で受信している映像信号にコピーガード信号が付加されている場合を説明したが、コピーガード信号が付加されていなければ、外部出力端子１１ａから出力する信号に対する画像劣化処理あるいはコピーガード付加処理を、上述した各機能の処理において行われないようにすればよい。
【０１０４】
また、上述した実施の形態では、デジタル放送受信システム１は、２台のテレビジョン受像機から構成されているが、３台以上のテレビジョン受像機を接続して構成するようにしてもよい。その場合、各テレビジョン受像機に表示する映像は、上述したメモリの各プレーンに対応させ、制御部が、各プレーンに対応する記憶領域に、生成した映像信号を書き込むようにすればよい。  
本明細書における各「部」は、実施の形態の各機能に対応する概念的なもので、必ずしも特定のハードウエアやソフトウエア・ルーチンに１対１には対応しない。従って、本明細書では、以下、実施の形態の各機能を有する仮想的回路ブロック（部）を想定して実施の形態を説明した。また、本実施の形態における各手順の各ステップは、その性質に反しない限り、実行順序を変更し、複数同時に実行し、あるいは実行毎に異なった順序で実行してもよい。
【０１０５】
本発明は、上述した実施の形態に限定されるものではなく、本発明の要旨を変えない範囲において、種々の変更、改変等が可能である。
【図面の簡単な説明】
【０１０６】
【図１】本発明の実施の形態に係わるデジタル放送受信システムの構成を示す構成図である。
【図２】本発明の実施の形態に係わるリモコンの操作面を説明するための平面図である。
【図３】本実施の形態に係るデジタル放送受信機の構成を示すブロック図である。
【図４】本実施の形態に係る、表示される映像と記憶領域との関係を説明するための図である。
【図５】本実施の形態に係る外部出力制御用メニュー画面の例を示す図である。
【図６】本実施の形態に係る、デジタル放送受信機とアナログ放送受信機に表示する映像を決定する処理の流れの例を示すフローチャートである。
【図７】本実施の形態に係る、デジタル放送受信機とアナログ放送受信機に表示する映像を決定する処理の流れの例を示すフローチャートである。
【図８】本実施の形態に係る、拡大表示選択時における、拡大表示領域指示部を含む画面の表示例を示す図である。
【図９】本実施の形態に係る、拡大表示選択時における、アナログ放送受信機の表示画面に表示される画面の表示例を示す図である。
【図１０】本実施の形態に係る、拡大制御表示時における、デジタル放送受信機の表示画面に表示される画面の表示例を示す図である。
【図１１】本発明の実施の形態に係わる、拡大制御表示時における、アナログ放送受信機の表示画面に表示される画面の表示例を示す図である。
【図１２】本発明の実施の形態に係わる、番組情報表示時における、デジタル放送受信機の表示画面に表示される画面の表示例を示す図である。
【図１３】本発明の実施の形態に係わる、番組情報表示時における、アナログ放送受信機の表示画面に表示される画面の表示例を示す図である。
【図１４】本発明の実施の形態に係わる、静止画リスト表示時における、デジタル放送受信機の表示画面に表示される画面の表示例を示す図である。
【図１５】本発明の実施の形態に係わる、静止画リスト表示時における、アナログ放送受信機の表示画面に表示される画面の表示例を示す図である。
【図１６】本発明の実施の形態に係わる、制御画面表示時における、アナログ放送受信機の表示画面に表示される制御画面の表示例を示す図である。
【符号の説明】
【０１０７】
１  デジタル放送受信システム、１１  デジタル放送受信機、１１ａ  外部出力端子、１２  アナログ放送受信機、１２ａ  外部入力端子、１３  ケーブル、１４  リモコン、３３ａ  コピーガード検出部、３９  出力制御部、５２  メモリ
【図１】
2009200937.tif 000003
【図２】
2009200937.tif 000004
【図３】
2009200937.tif 000005
【図４】
2009200937.tif 000006
【図５】
2009200937.tif 000007
【図６】
2009200937.tif 000008
【図７】
2009200937.tif 000009
【図８】
2009200937.tif 000010
【図９】
2009200937.tif 000011
【図１０】
2009200937.tif 000012
【図１１】
2009200937.tif 000013
【図１２】
2009200937.tif 000014
【図１３】
2009200937.tif 000015
【図１４】
2009200937.tif 000016
【図１５】
2009200937.tif 000017
【図１６】
2009200937.tif 000018